(57)【特許請求の範囲】
【請求項１】
ＬＥＤ（発光ダイオード）と該ＬＥＤの前面に設ける表面パネルとを備える発光表示体であって、
前記ＬＥＤと前記表面パネルとの間に、前記ＬＥＤが発光する光の、光源から所定角度範囲内の中央部の光束を集束する凸レンズ体と、
前記ＬＥＤを一体的に被覆する第一円筒部と該円筒部からテーパ状に拡がる拡径部と該拡径部に連なり前記凸レンズ体の外縁部を被覆する第二円筒部とを備える筒内面部と、前記ＬＥＤの部位に位置する第一外周部と該第一外周部に連なり急に拡径する第一テーパ部と該第一テーパ部に連なり徐々に拡径する第二外周部と該第二外周部に連なり前記表面パネルに当接する前端面に至る第二テーパ部とを備えて全体が筒状体とされるプリズム体とを備え、
前記所定角度範囲外の光を、前記凸レンズ体およびプリズム体の前記前端面部に投射して、発光される視野角を規定することを特徴とする発光表示体。
【請求項２】
前記表面パネルが光透過性を有する材質からなり、前記凸レンズ体が、前記表面パネルの裏側または表側の一方に、もしくは両側に凸レンズ状に突出して一体成形されていることを特徴とする請求項１に記載の発光表示体。
【請求項３】
前記表面パネルの裏側の前記プリズム体の当接する位置の周囲に、前記第二テーパ部の配設位置を規定する突起ガイドを設け、前記凸レンズ体に対する前記前端面の当接位置を規定したことを特徴とする請求項２に記載の発光表示体。
【請求項４】
表示盤の内部にＬＥＤ（発光ダイオード）を有する発光表示体を複数配設し、表示盤の表面に、表示部となる光透過性を有する表面パネルを備えるＬＥＤ表示灯であって、
前記発光表示体が、ＬＥＤと該ＬＥＤが発光する光の、光源から所定角度範囲内の中央部の光束を集束する凸レンズ体と、前記中央部の光束には干渉せず、前記所定角度範囲外の光を前記凸レンズ体が位置する正面方向に投射して発光表示する視野角を規定するプリズム体とを備え、
前記凸レンズ体を、前記表面パネルの裏側または表側の一方の、もしくは両側の、前記ＬＥＤに対向する所定位置にそれぞれ凸レンズ状に突出して一体成形すると共に、
前記プリズム体が、筒状体であって、前記ＬＥＤ外面を一体的に被覆する第一円筒部と該円筒部からテーパ状に拡がる拡径部と該拡径部に連なり前記凸レンズ体の外縁部を被覆する第二円筒部とを備える筒内面部と、前記ＬＥＤの部位に位置する第一外周部と該第一外周部に連なり急に拡径する第一テーパ部と該第一テーパ部に連なり徐々に拡径する第二外周部と該第二外周部に連なり前記表面パネルに当接する前端面に至る第二テーパ部とを設けていることを特徴とするＬＥＤ表示灯。
【請求項５】
前記表面パネルの裏側の前記プリズム体の当接する位置の周囲に、前記第二テーパ部の配設位置を規定する突起ガイドをそれぞれ設け、前記凸レンズ体に対するそれぞれの前記前端面の配設位置を規定したことを特徴とする請求項４に記載のＬＥＤ表示灯。
【請求項６】
前記表示盤を脚体の上部に支軸を介して装着すると共に、前記表示盤を、帯状外枠と中央枠部と該中央枠部と前記帯状外枠とに連結される複数の帯状連結部とを備えた枠体から構成し、前記支軸を前記中央枠部に設け、前記発光表示体を前記帯状外枠と前記帯状連結部とに複数配設していることを特徴とする請求項４または５に記載のＬＥＤ表示灯。
【請求項７】
前記表示盤の内部に、所定の発光パターンを表示するよう前記発光表示体の発光を制御するＬＥＤ表示制御部と、パターン化された表示内容を格納しておくメモリ部とを設け、前記中央枠部の裏面に、オン・オフ切替スイッチと、点灯パターン切替スイッチと点灯時間帯切替スイッチとを設けていることを特徴とする請求項４〜６のいずれか１に記載のＬＥＤ表示灯。
【発明の詳細な説明】
【技術分野】
【０００１】
本発明は、ＬＥＤを用いた発光表示体および該発光表示体を用いたＬＥＤ表示灯に関し、特に屋外で使用する際に、ＬＥＤの発光を視認容易とする発光表示体およびＬＥＤ表示灯に関するものである。
【背景技術】
【０００２】
ＬＥＤ（発光ダイオード）は、スペクトル半値幅が狭いため高い色純度を有する半導体素子であり、小型で効率が良く鮮やかな色に発光する発光素子である。また、近年、青色ＬＥＤが実用化され、それにより赤、緑、青の３原色のＬＥＤが揃い、これらのＬＥＤを用いてフルカラーの表示を行うことが可能となっている。
【０００３】
また、ＬＥＤは、消費電力が少なく発熱せず、寿命が長いので、各種の表示部分に使用されており、道路標識や、ビル内部の案内標識等に好適に適用されている。これらの表示装置が表示する内容は、例えば、「工事中」や「この先で事故発生」等の予め定められた一定の文句であって、内蔵するメモリに記憶された表示内容を表示している。
【０００４】
また、単に矢印状に配設した発光表示体や、標識枠内に複数配設した発光表示体の、発光部と発光順を制御することでも、屋外に設置するＬＥＤ表示灯を構成することができる。
【０００５】
このＬＥＤ表示灯は、予め複数の表示データを記憶しておくメモリと、表示するデータを指示する表示指示手段と、指示されたデータをメモリから取り出しで表示部に表示する制御装置とを備えた構成とされている。
【０００６】
また、ＬＥＤは、光が拡散し、照射面が暗くなるから、屋外に設置する表示灯や警告灯に発光表示体を用いる際には、光を拡散させない集光レンズが必要となる。
【０００７】
しかし、ＬＥＤの前方正面に集光レンズを配設して、ＬＥＤから発光される光を拡散させずに正面方向に集束して投光することは可能であるが、レンズに捕捉できない側方放射光が存在する。特にレンズの焦点距離が長く、発光表示体とレンズとの距離が長い場合には、レンズに捕捉できない側方放射光が増大する。
【０００８】
そのために、中央部の光束を集束する中央プリズム部と、側方放射光を集束する外輪プリズム部とを有するレンズ体を備えるＬＥＤ投光装置が既に出願されている（例えば、特許文献１参照）。
【特許文献１】特開２００２−４３６２９号公報
【発明の開示】
【発明が解決しようとする課題】
【０００９】
しかし、中央プリズム部と外輪プリズム部とを一体的に備える複雑な形状のレンズ体であれば、製造が容易でなく、製造コストも高くなる。さらに、屋外に設置するＬＥＤ表示灯を構成するには、表示盤の正面方向の輝度を明るくして視認容易とすると共に、一つ一つのＬＥＤの光を発光表示体の発光として有効に活用したい。
【００１０】
そのために、より単純な構成で、正面輝度を明るくし、側方放射光を集束可能な発光表示体が望まれる。
【００１１】
本発明の目的は、上記問題を解決するために、より単純な構成で、正面輝度を明るくし、側方放射光を集束可能な発光表示体を提供し、該発光表示体を用いると共により認識し易い表示を可能とするＬＥＤ表示灯を提供することである。
【課題を解決するための手段】
【００１２】
上記の目的を達成するために請求項１に係る発明は、ＬＥＤ（発光ダイオード）と該ＬＥＤの前面に設ける表面パネルとを備える発光表示体であって、前記ＬＥＤと前記表面パネルとの間に、前記ＬＥＤが発光する光の、光源から所定角度範囲内の中央部の光束を集束する凸レンズ体と、前記ＬＥＤを一体的に被覆する第一円筒部と該円筒部からテーパ状に拡がる拡径部と該拡径部に連なり前記凸レンズ体の外縁部を被覆する第二円筒部とを備える筒内面部と、前記ＬＥＤの部位に位置する第一外周部と該第一外周部に連なり急に拡径する第一テーパ部と該第一テーパ部に連なり徐々に拡径する第二外周部と該第二外周部に連なり前記表面パネルに当接する前端面に至る第二テーパ部とを備えて全体が筒状体とされるプリズム体とを備え、前記所定角度範囲外の光を、前記凸レンズ体およびプリズム体の前記前端面部に投射して、発光される視野角を規定することを特徴としている。
【００１３】
上記の構成を有する請求項１に係る発明によれば、中央部の光束を集束する凸レンズ体を介して中央部の明視度を向上し正面輝度を明るくすることができる。また、所定角度範囲外の光を正面方向に投射して表面パネルに当接する前端面から光を放射するプリズム体を介することで、側方放射光を集光し、所定の視野角で発光表示する発光表示体を得ることができる。
【００１４】
請求項２に係る発明は、前記表面パネルが光透過性を有する材質からなり、前記凸レンズ体が、前記表面パネルの裏側または表側の一方に、もしくは両側に凸レンズ状に突出して一体成形されていることを特徴としている。
【００１５】
上記の構成を有する請求項２に係る発明によれば、表面パネルが表示盤としての機能とレンズとしての機能とを備えるので、部品点数を減らすことができ、コンパクトな発光表示体を形成することができる。
【００１６】
請求項３に係る発明は、前記表面パネルの裏側の前記プリズム体の当接する位置の周囲に、前記第二テーパ部の配設位置を規定する突起ガイドを設け、前記凸レンズ体に対する前記前端面の当接位置を規定したことを特徴としている。
【００１７】
上記の構成を有する請求項３に係る発明によれば、凸レンズ体の外縁部と突起ガイドの内径部との間に、前端面を係合させて正しい位置に固定可能となり、ＬＥＤと凸レンズ体とプリズム体と表面パネルとの位置関係を常に正しく固定することができる。
【００１８】
請求項４に係る発明は、表示盤の内部にＬＥＤ（発光ダイオード）を有する発光表示体を複数配設し、表示盤の表面に、表示部となる光透過性を有する表面パネルを備えるＬＥＤ表示灯であって、前記発光表示体が、ＬＥＤと該ＬＥＤが発光する光の、光源から所定角度範囲内の中央部の光束を集束する凸レンズ体と、前記中央部の光束には干渉せず、前記所定角度範囲外の光を前記凸レンズ体が位置する正面方向に投射して発光表示する視野角を規定するプリズム体とを備えており、前記凸レンズ体を、前記表面パネルの裏側または表側の一方の、もしくは両側の、前記ＬＥＤに対向する所定位置にそれぞれ凸レンズ状に突出して一体成形すると共に、前記プリズム体が、筒状体であって、前記ＬＥＤ外面を一体的に被覆する第一円筒部と該円筒部からテーパ状に拡がる拡径部と該拡径部に連なり前記凸レンズ体の外縁部を被覆する第二円筒部とを備える筒内面部と、前記ＬＥＤの部位に位置する第一外周部と該第一外周部に連なり急に拡径する第一テーパ部と該第一テーパ部に連なり徐々に拡径する第二外周部と該第二外周部に連なり前記表面パネルに当接する前端面に至る第二テーパ部とを設けていることを特徴としている。
【００１９】
上記の構成を有する請求項４に係る発明によれば、中央部の光束を集束する凸レンズ体を介して中央部の明視度を向上し正面輝度を明るくし、所定角度範囲外の光を凸レンズ体が位置する正面方向に投射するプリズム体を介して側方放射光を集光可能な発光表示体を複数配設した表示灯としているので、認識し易い表示が可能なＬＥＤ表示灯となる。また、複数の凸レンズ体を表面パネルと一体成形しているので、部品点数を減らすことができ、低コストのＬＥＤ表示灯を得ることができる。
【００２１】
また、上記の構成を有する請求項４に係る発明によれば、筒内面部が、光源から所定角度範囲内の中央部の光束をそのまま挿通させるので、前記中央部の光束には干渉せずに、第一外周部と第一テーパ部と第二外周部とを介して所定角度範囲外の光を集光して、凸レンズ体が位置する正面方向に投射して、表面パネルに当接する前端面から光を放射するプリズム体を備えるので、正面輝度を明るくし、側方放射光を集束可能な発光表示体を備えるＬＥＤ表示灯を得ることができる。
【００２２】
請求項５に係る発明は、記表面パネルの裏側の前記プリズム体の当接する位置の周囲に、前記第二テーパ部の配設位置を規定する突起ガイドをそれぞれ設け、前記凸レンズ体に対するそれぞれの前記前端面の当接位置を規定したことを特徴としている。
【００２３】
上記の構成を有する請求項５に係る発明によれば、それぞれのＬＥＤと凸レンズ体とプリズム体との位置関係を常に正しく固定可能な構成となり、複数の発光表示体を所望の所定位置に揃えて、コンパクトで低コストのＬＥＤ表示灯を得ることができる。
【００２４】
請求項６に係る発明は、前記表示盤を脚体の上部に支軸を介して装着すると共に、前記表示盤を、帯状外枠と中央枠部と該中央枠部と前記帯状外枠とに連結される複数の帯状連結部とを備えた枠体から構成し、前記支軸を前記中央枠部に設け、前記発光表示体を前記帯状外枠と前記帯状連結部とに複数配設していることを特徴としている。
【００２５】
上記の構成を有する請求項６に係る発明によれば、帯状外枠と複数の帯状連結部とに設ける発光表示体の発光の順やタイミングを制御することで、多様なパターンの表示が可能となる。
【００２６】
請求項７に係る発明は、前記表示盤の内部に、所定の発光パターンを表示するよう前記発光表示体の発光を制御するＬＥＤ表示制御部と、パターン化された表示内容を格納しておくメモリ部とを設け、前記中央枠部の裏面に、オン・オフ切替スイッチと、点灯パターン切替スイッチと点灯時間帯切替スイッチとを設けていることを特徴としている。
【００２７】
上記の構成を有する請求項７に係る発明によれば、多角形の帯状外枠と複数の帯状連結部とに設ける発光表示体を点滅あるいは発光させると共に、その順序やタイミングを制御することで、認識容易で多様なパターンの表示が可能となる。さらに、発光表示させる内容を選択するだけでなく、必要な時や、必要な時間帯に表示するよう設定あるいは制御することができる。
【発明の効果】
【００２８】
上記したように本発明によれば、ＬＥＤが発光する光の光源から所定角度範囲内の中央部の光束を集束する凸レンズ体と、前記所定角度範囲外の光を前記凸レンズ体が位置する正面方向に投射するプリズム体とを備えた発光表示体としたので、正面輝度を明るくし側方放射光を集光して正面視に優れた発光表示体を得ることができる。さらに、複数の発光表示体を配設すると共に、それぞれの発光体に対応した凸レンズ体を一体成形した表面パネルを用いたＬＥＤ表示灯としたので、コンパクトで低コストで、且つ認識し易い表示が可能なＬＥＤ表示灯を得ることができる。
【発明を実施するための最良の形態】
【００２９】
以下、本発明に係る発光表示体およびＬＥＤ表示灯の実施の形態について図面を用いて詳細に説明する。
【００３０】
図１には、本発明に係る発光表示体の一例を示しており、（ａ）は断面図であり、（ｂ）は光路を示す概略説明図である。図２は、本発明に係る発光表示体を複数備える表示部の一例を示す断面図である。図３は、本発明に係るＬＥＤ表示灯の一例を示し、（ａ）は全体正面図であり、（ｂ）は要部拡大図である。
【００３１】
図１（ａ）に示すように、発光表示体１は、基板４に装着されるＬＥＤ（発光ダイオード）３と発光表示面となる表面パネル２とを備えている。また、表面パネル２には、ＬＥＤ３が発光する光の光源から所定角度範囲内の中央部の光束を集束する凸レンズ体２０が形成されており、ＬＥＤ３を被覆するように設けられるプリズム体３０を備えている。このプリズム体３０は、側方放射光となる前記所定角度範囲外の光を前記凸レンズ体２０が位置する正面方向に投射して、小径のＬＥＤ３の発光する光の視野角を拡げる機能を発揮する。
【００３２】
プリズム体３０は筒状体であって、ＬＥＤ３を一体的に被覆する第一円筒部３１と該円筒部３１からテーパ状に拡がる拡径部３２と該拡径部３２に連なり前記凸レンズ体２０の外縁部を被覆する第二円筒部３３とを備える筒内面部４０と、前記ＬＥＤ部に位置する第一外周部３４と該第一外周部３４に連なり急に拡径する第一テーパ部３５と該第一テーパ部３５に連なり徐々に拡径する第二外周部３６と該第二外周部３６に連なり前記表面パネルに当接する前端面３８に至る第二テーパ部３７を備えている。
【００３３】
また、表面パネル２に設ける凸レンズ体２０の周囲に相当する、前記表面パネル２の裏側の前記プリズム体の当接する位置の周囲に、前端面３８および第二テーパ部３７の配設位置を規定する突起ガイド２１を設け、前記前端面３８の当接位置を規定する構成としている。突起ガイド２１の形状は、特に限定されないが、前端面３８の外周をすっぽり収容可能な内径と、前端面３８に当接して滑らすことのできるテーパ状の案内面とを有する環状の突起形状であることが好ましい。
【００３４】
前記凸レンズ体２０は、光透過性を有する表面パネル２の裏側または表側の一方に、もしくは両側に凸レンズ状に突出して一体成形して設けることができる。また、図示するように、表面パネル２の裏側に凸レンズ状に突出して設けると、表示面となる表面パネル２の表側が滑らかな表示面となって、良好な表示が可能であると共に、汚れ難く、掃除しやすくなって、好適である。
【００３５】
前端面３８の内径は凸レンズ体２０の外縁部に合致する程度の大きさが好ましく、この凸レンズ体２０の外縁部と前記突起ガイド２１の内径部との間に、前端面３８を係合させて位置固定可能な構成となる。
【００３６】
そのために、ＬＥＤ３と該ＬＥＤ３を被覆するように装着されるプリズム体３０と凸レンズ体２０とが所望される正しい位置関係となり、ＬＥＤ３から発光される光のうち、光源３ａから所定角度範囲内の中央部の光束は前記筒内面部４０を挿通し、直接凸レンズ体２０に投射される。また、所定角度範囲外の光は、プリズム体３０に入射し内部を反射して、凸レンズ体２０が位置する正面方向に投射されることになり、凸レンズ体２０および、表面パネル２に当接する前端面３８部から放射される。
【００３７】
上記したように、側方放射光となる所定角度範囲外の光を集束して、プリズム体３０の前端面３８部から放射する構成としているので、ＬＥＤ３の発光する光をこの前端面３８の大きさに揃えて発光する表示部となって、発光輝度を保った状態で、発光表示する視野角を規定することができる。
【００３８】
図１（ｂ）にその光路の概略を示しているが、前記筒内面部４０を挿通する光は、直接凸レンズ体２０に投射されて集束された発光３００となる。また、プリズム体３０を経由する光は、反射されて凸レンズ体２０部からの発光３１０と、前記前端面３８部から放射される発光３２０とになる。
【００３９】
上記したように、光源３ａから投射される光は、凸レンズ体２０部領域に相当する中央発光部Ａ１と、その周囲に位置し前記前端面３８部に相当する外輪発光部Ｂ１とに集束される構成となっている。つまり、光源３ａから投射される光は、凸レンズ体２０を介して正面輝度を明るくし、プリズム体３０を介して視野角を拡げていることになる。
【００４０】
そのために、本発明に係る発光表示体１を所定間隔離間して複数配設することで、正面輝度が明るく視認容易な表示部を形成することが可能となる。
【００４１】
図２にその一例を示す。この例では、発光表示体１Ａ、１Ｂ、１Ｃ、１Ｄ、１Ｅを縦一列に並べて配設したものを示している。枠体５に複数の支持部材５１を介して基板４が保持されており、この基板４に複数の発光表示体１（１Ａ、１Ｂ、１Ｃ、１Ｄ、１Ｅ）が装着されている。それぞれの発光表示体１へはケーブル６を介して制御信号伝達や給電が行われており、ケーブル６は接続プラグ７と本体制御ケーブル６Ａを介して制御装置に連結されている。
【００４２】
上記の構成であれば、図示しない制御装置により、それぞれの発光表示体１（１Ａ、１Ｂ、１Ｃ、１Ｄ、１Ｅ）の発光のタイミングと発光時間、発光順をそれぞれ自在に設定し制御することが可能であって、一斉に点灯したり、点滅を繰り返したり、順に点灯してスクロール表示することも可能となる。
【００４３】
複数の発光表示体１はそれぞれ、ＬＥＤ３Ａと凸レンズ体２０Ａとプリズム体３０Ａを備える発光表示体１Ａ、ＬＥＤ３Ｂと凸レンズ体２０Ｂとプリズム体３０Ｂを備える発光表示体１Ｂ、ＬＥＤ３Ｃと凸レンズ体２０Ｃとプリズム体３０Ｃを備える発光表示体１Ｃ、ＬＥＤ３Ｄと凸レンズ体２０Ｄとプリズム体３０Ｄを備える発光表示体１Ｄ、ＬＥＤ３Ｅと凸レンズ体２０Ｅとプリズム体３０Ｅを備える発光表示体１Ｅとからなっている。
【００４４】
前記凸レンズ体２０Ａ〜２０Ｅは、光透過性を有する表面パネル２の裏側または表側の一方に、もしくは両側に凸レンズ状に一体成形することができる。また、前述した突起ガイド２１もそれぞれの対応する位置に一体成形される構成であり、複数の発光表示体を所望の所定位置に揃えて、コンパクトで低コストのＬＥＤ表示灯を得ることができる。
【００４５】
次に、複数の発光表示体を備え、それぞれのＬＥＤに対応した凸レンズ体を一体成形した表面パネルを用い、認識し易い表示が可能な構成としたＬＥＤ表示灯について、図３より説明する。
【００４６】
図３（ａ）に本発明に係るＬＥＤ表示灯１００の一実施例を示している。
【００４７】
ＬＥＤ表示灯１００は、脚体１１０と、該脚体１１０の上部に支軸１３４を介して表示盤１２０を装着している。また、表示盤１２０の表面には、複数の発光表示体１を配設しているＬＥＤ表示部８Ａ、８Ｂ、８Ｃ、８Ｄ、８Ｅ・・・が設けられており、表示盤１２０の内部には、前記発光表示体１の発光を制御して所定の表示内容に制御するＬＥＤ表示制御部１０６と、パターン化された表示内容を格納しておくメモリ部１０７、およびバッテリー１０５とが設けられている。さらに、前記表示盤１２０の頂部にソーラーパネル１０１を設置している。
【００４８】
また、前記表示盤１２０には、環状に設ける外側発光部と、複数の半径方向に設ける内側発光部とが配設されている。そのために、前記表示盤１２０を円板状あるいは多角形板状として、この表面に前記内側発光部と前記外側発光部とを設ける構成としてもよいが、本実施の形態に示すように、帯状外枠１３１と中央枠部１３２と該中央枠部１３２と前記帯状外枠１３１とに連結される複数の帯状連結部１３３とを備えた枠体とすることも可能である。この構成であれば、前記発光表示体１をそれぞれ帯状の枠体である前記帯状外枠１３１と前記帯状連結部１３３とに配設して、表示盤１２０の表面にＬＥＤ表示部８Ａ、８Ｂ〜を所望の形状に形成することができる。
【００４９】
そのために、帯状外枠１３１と帯状連結部１３３とに多数設置されるそれぞれの発光表示体１の点滅と発光の順序やタイミングを制御することで、多様なパターンの表示（点滅表示やスクロール表示）が可能となり、容易に認識可能となるＬＥＤ表示を行うことができる。つまり、枠体の表面全体をＬＥＤ表示部とすることができる。
【００５０】
帯状外枠１３１は円環状であっても、多角形状であってもよく、外形に沿って発光表示体１が連続して配設される構成であればよい。
【００５１】
図３（ｂ）に示すＬＥＤ表示部８Ａは、帯状外枠１３１と帯状連結部１３３とがＴ字状に連結された形状であって、この形状のＬＥＤ表示部８Ａ、８Ｂ〜を複数組み合わせて円板状あるいは多角形板状の表示盤１２０を形成することができる。それぞれのＬＥＤ表示部には、例えばその中央部の縦一列に、発光表示体１Ａ、１Ｂ、１Ｃ、１Ｄ、１Ｅが所定間隔で配設されている。また、発光表示体１Ａ、１Ｂの側方の帯状外枠１３１部に、発光表示体１Ｆ、１Ｇをそれぞれ設けている。
【００５２】
これらの複数の発光表示体は、メモリ部１０７およびＬＥＤ表示制御部１０６を介してその表示内容が制御されており、所定の表示を行うための制御指令が生成されて、該制御指令により所定の表示がＬＥＤ表示部に表示される。表示パターンとしては、帯状外枠１３１に環状に多数設置された発光表示体を順に点滅していく表示や、全体を一斉に点滅する表示や、右回りあるいは左回りに順に流れるように発光させるスクロール表示や、中心部から外枠に向かう複数の帯状連結部１３３に設置された発光表示体を、例えば外側から内側へ向けて順に点滅したりスクロールしたりする表示が考えられる。
【００５３】
また、昼間と夜間との明るさを自動調整する輝度変更機能を設けることも、電装品の発熱を監視する過熱防止機能や過電流保護機能を設けて、異常を検知したら電源を自動的に遮断する構成とすることもできる。
【００５４】
さらに、これらの表示パターンを予め複数設定してメモリ部１０７に格納しておき、工事中に対応した表示や、この先行き止まりに対応した表示や、事故発生に対応した表示などを任意に設定して表示することができる。
【００５５】
点滅の際の順送り速度や点灯時間なども任意の速度や時間に設定可能であることはもちろん、スクロールする際の速度も任意に設定可能である。
【００５６】
また、操作面（本実施の形態においては中央枠部１３２の裏面に設けている）には、電源スイッチ入力部となるオン・オフ切替スイッチや、表示内容を切り替える点灯パターン切替スイッチやと、夜間か昼間かもしくは昼夜連続して表示するかを切り替える点灯時間帯切替スイッチなどを設けることができる。
【００５７】
これらの、オン・オフ切替スイッチ、点灯パターン切替スイッチ、点灯時間帯切替スイッチにより設定される稼動条件は、全て、メモリ部１０７を有するＬＥＤ表示制御部１０６に通信され、所定の表示を行うための制御指令が生成されて、該制御指令により所定の表示がＬＥＤ表示部に表示される。
【００５８】
上記したように、帯状外枠１３１と帯状連結部１３３とに多数設置されるそれぞれの発光表示体の点滅と発光の順序やタイミングを制御することで、多様なパターンの表示（点滅表示やスクロール表示）が可能となる。
【００５９】
表示盤１２０を支持する脚体１１０は、折り畳み自在な三脚１１２と、上下に伸長自在な支柱１１１を備える構成とされており、前記支柱１１１の上部に、表示盤１２０の中央枠部１３２を旋回自在に装着している。そのために、三脚１１２を折り畳んで支柱１１１を短縮しておくとコンパクトになって持ち運び容易となる。また、三脚１１２を介して任意の場所に容易に設置可能であり、支柱１１１を伸縮して所望される任意の高さに表示灯を設置することができる。
【００６０】
上記したように本発明によれば、ＬＥＤの光源から発光される所定角度範囲内の中央部の光束を集束する凸レンズ体と、前記所定角度範囲外の光を前記凸レンズ体が位置する正面方向に投射するプリズム体とを備えた発光表示体としたので、正面輝度を明るくし側方放射光を集光して正面視に優れた発光表示体を得ることができる。さらに、複数の発光表示体を配設すると共に、それぞれのＬＥＤとプリズム体に対応した凸レンズ体と突起ガイドを一体成形した表面パネルを用いたＬＥＤ表示灯としたので、認識し易い表示が可能なＬＥＤ表示灯を得ることができる。
【００６１】
さらに、凸レンズ体の外縁部と突起ガイドの内径部との間に、前端面を係合させてプリズム体の位置を固定可能となるので、ＬＥＤと該ＬＥＤを被覆するように装着されるプリズム体と凸レンズ体とが所望される正しい位置関係となり、複数のＬＥＤを配設するＬＥＤ表示灯であっても、全てのＬＥＤから発光される光の正面輝度と視野角とを安定したレベルに揃えておくことができ、視認容易なＬＥＤ表示灯となる。
【図面の簡単な説明】
【００６２】
【図１】本発明に係る発光表示体の一例を示しており、（ａ）は断面図であり、（ｂ）は光路を示す概略説明図である。
【図２】本発明に係る発光表示体を複数備える表示部の一例を示す断面図である。
【図３】本発明に係るＬＥＤ表示灯の一例を示し、（ａ）は全体正面図であり、（ｂ）は要部拡大図である。
【符号の説明】
【００６３】
１  発光表示体
２  表面パネル
３  ＬＥＤ
４  基板
２０  凸レンズ体
２１  突起ガイド
３０  プリズム体
３８  前端面
４０  筒内面部
【図１】
0004966126.tif 000002
【図２】
0004966126.tif 000003
【図３】
0004966126.tif 000004